(57)【要約】【課題】スライド式デッキパンの設置による商品陳列室の有効高さの減少を抑える。【解決手段】スライドレール１８に保持された前方に引き出し可能な棚板１６を有し、商品陳列室２の底部に設置されるオープンショーケースのスライド式デッキパンにおいて、スライドレール１８を前上がりに傾斜させて取り付け、棚板１６の引出し状態で、スライドレール１８の可動レール２０とフロントキャップ１７との間にクリアランスＣを形成する。スライド式デッキパン１５を商品陳列室２の底部の低い位置に設置しても、棚板１６の引き出し時にはスライドレール１８の可動レール２０は傾斜の分だけ上昇しながらの前方に引き出されるため、フロントキャップ１７との間に十分なクリアランスＣが形成される。【選択図】        図１
2004275341.tif 000002
【特許請求の範囲】
【請求項１】
スライドレールに保持された前方に引き出し可能な棚板を有し、前面が開口した商品陳列室の底部に設置されるオープンショーケースのスライド式デッキパンにおいて、
前記スライドレールを前上がりに傾斜させて取り付け、引出し状態の前記スライドレールの可動レールとフロントキャップとの間にクリアランスを形成したことを特徴とするオープンショーケースのスライド式デッキパン。
【請求項２】
前記スライドレールの固定レールを取り付ける固定金の奥側に後方に突出する爪を形成するとともに、手前側に下方に突出する爪を形成し、前記奥側の爪を前記商品陳列室の背面パネルに固定した棚柱の穴に挿入し、前記手前側の爪を前記商品陳列室の前面開口に形成されるエアカーテンのリターングリルと固定式のデッキパンとの間に差し込んで固定するようにしたことを特徴とする請求項１記載のオープンショーケースのスライド式デッキパン。
【発明の詳細な説明】
【０００１】
【発明の属する技術分野】
この発明は、冷気循環式オープンショーケースに関し、詳しくは商品陳列室の底部に設置されるスライド式デッキパンに関する。
【０００２】
【従来の技術】
オープンショーケースのスライド式デッキパンについては、例えば特許文献１あるいは特許文献２に記載されている。図５は、従来のスライド式デッキパンを備えた冷気循環式の多段形オープンショーケースを示すものである。図５において、前面が開口したショーケース本体１の内部に、商品取出し面となる前面が開放した商品陳列室２が設けられ、商品陳列室２を区画する天井パネル３及び背面パネル４とショーケース本体１との間には、内外２層の循環通風路５及び６が形成されるとともに、固定式デッキパン７により循環通風路５，６に通じる下部空間８が形成されている。内側通風路５には冷却器９が設置され、下部空間８には送風機１０が設置されている。一方、商品陳列室２の前面上部に位置する循環通風路５，６の開口には空気吹出し口１１が形成され、商品陳列室２の前面下部に位置する下部空間８の開口には、多数の小穴を有するリターングリル１２が設置されている。
【０００３】
このようなオープンショーケースにおいて、送風ファン１０が運転されると、循環通風路５，６を気流が矢印方向に循環し、各々の吹出口１１から吹き出された気流は、商品陳列室２の開口面に内外２層のエアカーテン１３を形成し、商品陳列室２を外気から遮断する。その場合、内側通風路５を循環する気流は冷却器９を通過して冷却され、冷気となって循環しながら商品陳列室２内を冷却する。ここで、商品陳列室２内には商品棚１４が多段に設置されるとともに、底部にスライド式デッキパン１５が設置され、図示しない商品は商品棚１４及びスライド式デッキパン１５上に陳列されている。商品棚１４は、背面パネル４に固定された図示しない棚柱に支持されている。スライド式デッキパン１５は商品を載せる棚板１６が図示しないスライドレールで保持され、二点鎖線で図示するように前方に引き出せるようになっている。
【０００４】
【特許文献１】
特開２０００−０４１８０１号公報
【特許文献２】
特開２００２−２９１５８９号公報
【０００５】
【発明が解決しようとする課題】
図５において、スライド式デッキパン１５の棚板１６はショーケース本体前部のフロントキャップ１７の上方を前方に向って引き出されるが、棚板１６に商品が積載されていると、スライドレールが撓んで下がる。そのため、フロントキャップ１７と可動レールとの間には十分なクリアランスをとる必要がある。ところが、このクリアランスを大きくとるためにスライド式デッキパン全体を上方に持ち上げて設置すると、その分、商品陳列室２の有効高さが減ってしまうという悩みがあった。
【０００６】
そこで、この発明の課題は、商品陳列室の有効高さの減少を抑えながらスライド式デッキパンを設置することにある。
【０００７】
【課題を解決するための手段】
上記課題を解決するために、この発明は、スライドレールに保持された前方に引き出し可能な棚板を有し、前面が開口した商品陳列室の底部に設置されるオープンショーケースのスライド式デッキパンにおいて、前記スライドレールを前上がりに傾斜させて取り付け、引出し状態の前記スライドレールの可動レールとフロントキャップとの間にクリアランスを形成するものである（請求項１）。
【０００８】
請求項１の発明によれば、スライド式デッキパンを商品陳列室の底部の低い位置に設置しても、棚板の引き出し時にはスライドレールの可動レールは傾斜の分だけ上昇しながらの前方に引き出されるため、フロントキャップとの間にクリアランスが生じる。
【０００９】
請求項１の発明において、前記スライドレールの固定レールを取り付ける固定金の奥側に後方に突出する爪を形成するとともに、手前側に下方に突出する爪を形成し、前記奥側の爪を前記商品陳列室の背面パネルに固定した棚柱の穴に挿入し、前記手前側の爪を前記商品陳列室の前面開口に形成されるエアカーテンのリターングリルと固定式のデッキパンとの間に差し込んで固定するようにするのがよい（請求項２）。
【００１０】
【発明の実施の形態】
以下、図１〜図４に基づいて、この発明の実施の形態を説明する。ここで、図１は収納状態のスライド式デッキパンを示すオープンショーケースの要部縦断面図、図２は図１のスライド式デッキパンの引出し状態を示すオープンショーケースの要部縦断面図、図３は図１におけるスライド式デッキパンの斜視図、図４は図３の分解図である。なお、従来例と対応する部分には同一の符号を用いるものとする。
【００１１】
さて、図１〜図４において、スライド式デッキパン１５は、棚板１６、左右一対のスライドレール１８及び左右一対の固定金１９からなっている。長方形の棚板１６はステンレス板からなり、左右端部及び後端部に縁壁１６ａ及び１６ｂがそれぞれ折り曲げ形成され、前端部に価格表示板などを差し込むスリット１６ｃが折り曲げ形成されている（図３，図４参照）。一方、左右に直立する固定金１９は亜鉛鋼板からなり、奥側に後方に突出する爪１９ａが折り曲げ形成されるとともに、手前側に下方に突出する爪１９ｂが折り曲げ形成されている。スライドレール１８は２段式で、固定レール２０と可動レール２１とからなり、周知の通り可動レール２１がボールを介して固定レール２０上を摺動する。
【００１２】
図４において、スライドレール１８の固定レール２０は固定金１９の側面にねじ止めされ、可動レール２１は棚板１６の下面に溶接されたＬ形金具２２にねじ止めされている。その場合、スライドレール１８は水平に対して、例えば５度程度前上がりに傾斜して取り付けられている。７は固定式デッキパンで、常時ショーケース本体に装着され、スライド式デッキパン１５は固定式デッキパン７上に載置支持される。
【００１３】
図１において、ショーケース本体１の下部空間８には、左右方向（紙面に垂直な方向）に間隔を置いて桁板２３が配列されており、固定式デッキパン７は背面パネル４とリターングリル１２との間で桁板２３上に載置支持されている。しかして、固定式デッキパン７の前面とリターングリル１２との間には若干の隙間があけられている。スライド式デッキパン１５は、背面パネル４とリターングリル１２との間で固定式デッキパン７上に載置支持されているが、この装着の際に、まず固定金１９の奥側の爪１９ａが背面パネル４に溶接された棚柱２４の穴２４ａ（図４参照）に挿入され、次いで手前側の爪１９ｂが固定式デッキパン７とリターングリル１２との間の隙間に挿入されて位置決め固定されている。
【００１４】
このようなスライド式デッキパン１５の棚板１６は、図２の収納状態から図１の引出し状態まで引き出されるが、その際、可動レール２１は前方に向って斜めに上昇し、図１においてフロントキャップ１７との間にクリアランスＣを生じる。また、棚板１６は図１の引出し状態から押し込まれると、斜めに下降して図２の状態に収まるので、スライド式デッキパン１５を設置することによる商品陳列室２の有効高さの低下は最小限に留められる。換言すれば、スライド式デッキパン１５をできるだけ低く設置して商品陳列室２の有効高さの減少を抑えながら、棚板１６の引き出し時には可動レール２１の上昇により、フロントキャップ１７との間に必要なクリアランスＣを確保することができる。
【００１５】
【発明の効果】
以上の通り、この発明によれば、スライド式デッキパンの設置による商品陳列室の有効高さの減少を抑え、スライド式デッキパンの利便性を享受しながらオープンショーケースの商品収納効率の低下を最小限に留めることができる。
【図面の簡単な説明】
【図１】この発明の実施の形態を示すオープンショーケースのスライド式デッキパンを引き出した状態の要部縦断面図である。
【図２】この発明の実施の形態を示すオープンショーケースのスライド式デッキパンを収納した状態の要部縦断面図である。
【図３】図１におけるスライド式デッキパンの斜視図である。
【図４】図３のスライド式デッキパンの分解図である。
【図５】従来例を示すオープンショーケースの縦断面図である。
【符号の説明】
１    ショーケース本体
２    商品陳列室
４    背面パネル
１２    リターングリル
１５    スライド式デッキパン
１６    棚板
１７    フロントキャップ
１８    スライドレール
１９    固定金
１９ａ  爪
１９ｂ  爪
２４    棚柱
【図１】
2004275341.tif 000003
【図２】
2004275341.tif 000004
【図３】
2004275341.tif 000005
【図４】
2004275341.tif 000006
【図５】
2004275341.tif 000007